(57)【要約】      （修正有）【課題】粘着力の高低差を貼り付けから剥離、離脱までの作業に有効利用し、懸案である手の届かない部位への湿布薬テープの貼り付けを可能とする湿布薬テープ背貼付具を提供する。【解決手段】貼り付け作業で使用する粘付けユニット３に使用する粘着テープ基材５の粘着力を患部肌に貼り付けた湿布薬テープの皮膚に対して有する粘着力より遥かに低く抑えた弱粘着力とする事で双方の粘着力に高低差を持たせた構造により、湿布薬テープの貼り付けと、その後の貼り付けユニットとの剥離、離脱の作業を完成せしめ一連の湿布薬テープの貼り付けを行うことを特徴とする。【選択図】図５
0003216335.tif 000002
【実用新案登録請求の範囲】
【請求項１】
湿布薬テープ背貼付け具であって、湿布薬テープを保持する背貼付具本体の形状を半円形とし、該背貼付具本体の表面部を湿布薬テープが皮膚に対して有する粘着力よりも低い粘着力の粘着剤で被うことを特徴とする湿布薬テープ背貼付具。
【考案の詳細な説明】
【技術分野】
【０００１】現在医療機関での処方、並びに一般に市販されている湿布薬テープを使用者本人が手の届かない患部肌特に背中へ貼付を行う事は、現在まで患部に貼り付けた湿布薬テープと貼り付けに使用した用具との剥離、離脱方法が確立されていな為に不可能の状態であり、その手段として近親等の介助に頼っているのが現状である。本発明は貼り付けユニットに使用する粘着材の粘着力を、湿布薬テープの有する強力粘着力に対し貼り付けの予備作業、貼り付け希望患部肌への移動とうに必要な最小限の弱粘着力材を選定使用する事により患部肌に貼り付けた強粘着力よりの剥離、離脱作業を完成せしめる事で懸案であった一連の貼り付け作業を可能とするものである。
【背景技術】
【０００２】湿布薬テープの貼り付けは、使用者本人の手の届く範囲に限られ、それ以外の患部への貼り付けが出来ない事の不便さのため、種々の貼り付け具が公開されている［特許文献１〜４］。しかしこれらはローラー装置、電動駆動等の特殊な機構を有しているものであり湿布薬テープの貼り付けを簡単に行う事には満足出来るものでは無かった。そこで容易に湿布薬テープの背中への貼り付けが出来る補助具が望まれていた。
【先行技術文献】
【特許文献】
【０００３】
【特許文献１】特開２００５−２０４７０５号広報
【特許文献２】特開２００１−３４０４７０号広報
【特許文献３】特開２０１３−８５９３８号広報
【特許文献】特開２０１５−２１１７００号広報
【考案の概要】
【考案が解決しようとする課題】
【００４】使用者本人の手の届かない部位への湿布薬テープの貼り行けは、貼り付け後の湿布薬テープと之に使用した用具との剥離、離脱技術が未確立であるため現在は不可能でありその作業は、同居する近親者等の介助に頼る事で使用者本人の不便さと精神的負担が増大している状態であり、この問題を解決すべくこの貼り付け具を構成する貼り付けユニットに使用する粘着剤の粘着力を、貼り付の予備作業である湿布薬テープの薬面保護シールの剥離並びに貼り付けを希望する患部までの移動に必要な最低限の弱粘着力を採用する事による粘着力の高低差を貼り付けから剥離、離脱までの作業に有効利用し、懸案である手の届かない部位への湿布薬テープの貼り付けを可能とする事で従来の難点を無くする為になされたものである。
【課題を解決するための手段】
【０００５】湿布薬テープせ貼付け具であって、湿布薬テープを保持する背貼付け本体の形状を半円形とし、該背貼付具本体の表面部を湿布薬テープが皮膚にたいして有する粘着力よりも低い粘着力の粘着剤で被うことを特徴とする湿布薬テープ背貼付具。図中符号（１）（２）の操作部は生活必需品としての汎用されている握り、アームを使用し（３）（４）（５）（６）の貼り付けユニット各部は、貼り付けユニットに保持されたた湿布薬テープを希望患部まで移動し貼り付けを行うユニットにより構成される。
最終の作業として患部肌への貼り付けを確認後、操作アームを徐々に上下させ湿布薬テープより剥離、離脱の一連の作業を完成させる機能を持つ用具。
【考案の効果】
【０００６】この考案により使用者本人が随時、湿布薬テープを希望する患部肌への貼り付けが可能となる事で、今まで頼っていた他の人への貼り付けの依頼が不要となりこれが為に本人の精神的負担、ストレスを軽減する事と湿布薬テープの貼用回数が増加する事での薬事効果が上昇する事が期待出来る。
【図面の簡単な説明】
【０００７】
【図１】本発明の右側面図である
【図２】本発明の平面図である
【図３】本発明のＡ−Ａ断面図である
【図４】本発明の参考斜図である
【図５】本発明のＢ−Ｂ断面構造説明図である
【考案を実施するための形態】
【０００８】湿布薬テープ背中貼付具に使用する貼り付けユニット（３）は湿布薬テープの強粘着力より低い弱粘着力の粘着テープ（６）を使う事での粘着力の高低差を利用する事により、貼り付け希望患部肌に強力に貼り付いた湿布薬テープと貼り付けユニットとの剥離を容易に行うものである。弱粘着力は一連の貼り付け作業としての湿布薬の薬面保護シールの除去、操作部符号（１）（２）の使用により貼り付け希望患部への湿布薬テープの移動と貼り付けに必要な最低限の粘着力とする事とし貼りけ希望患部への湿布薬テープの貼り付けを確認後、操作アームを上下せしめる操作を行い湿布薬と貼り付けユニッを静かに剥離し離脱させる。
【符号の説明】
【０００９】  １  握り部
２  操作アーム
３  貼り付けユニット
４  強力粘着材
５  粘着テープ基材
６  弱粘着材
【図１】
0003216335.tif 000003
【図２】
0003216335.tif 000004
【図３】
0003216335.tif 000005
【図４】
0003216335.tif 000006
【図５】
0003216335.tif 000007
【手続補正書】
【提出日】平成30年1月9日(2018.1.9)
【手続補正１】
【補正対象書類名】実用新案登録請求の範囲
【補正対象項目名】全文
【補正方法】変更
【補正の内容】
【実用新案登録請求の範囲】
【請求項１】
湿布薬テープ背貼付具であって、その構造は符号の説明１に示す握り部  符号２の操作アーム  符号３の貼り付けユニットにより構成される  握り部は直径２５ミリの塩化ビニル樹脂製の棒状に符号２に示す同一材質の操作アームとを一体化したものでありその形状は湿布薬を身体後背面へ移動せしめる為握り部より先端に向かって下方に湾曲した形状とし先端に貼り付けユニットを接続したものである  又貼り付け作業の主要部である貼付けユニットは市販の湿布薬サイズに対応した縦寸法１００ミリ横寸法１４０ミリ厚さ１６ミリ厚さの長方形に木質材を加工し  湿布薬テープを保持する使用者側即ち湿布薬貼り付け希望患部肌面側に向い且つ使用者の側面より見ての上下方向に向かって  貼り付けた湿布薬テープと貼り付けユニットの剥離離脱を促進する目的で筒状に湾曲した半円形に加工したものであり  この反対面に前記操作アーム先端を固定したものである  この湾曲面に符号５のポリラミクス粘着基材を中心に符号４のゴム系素材の強粘着剤にて符号３の木質本体に強力粘着を行い更に貼付け希望患部肌面側を符号６のアクリル系素材の弱粘着剤で被い湿布薬テープが皮膚に対して有する粘着力より低い粘着剤で湿布薬テープの保持と貼り付けを可能とし更に患部肌への貼り付け後の貼り付けユニットの剥離離脱を容易ならしめる半円形の形状の効果とも相まって使用者の手の届かない貼り付け希望肌への貼り付を簡便に行う事を特徴とする湿布薬テープ背貼付具
【手続補正書】
【提出日】平成30年3月5日(2018.3.5)
【手続補正１】
【補正対象書類名】実用新案登録請求の範囲
【補正対象項目名】全文
【補正方法】変更
【補正の内容】
【実用新案登録請求の範囲】
【請求項１】
湿布薬テープ背貼付具であって、その構造は「握り部（１）」、「操作アーム（２）」、「貼り付けユニット（３）」により構成され、前記「握り部（１）」は直径２５ミリの塩化ビニル樹脂製の棒状に同一材質の前記「操作アーム（２）」とを一体化したものであり、その形状は湿布薬を身体後背面へ移動せしめる為、前記「握り部（１）」より先端に向かって下方に湾曲しており、先端に前記「貼り付けユニット（３）」を接続したものであり、貼り付け作業の主要部である前記「貼り付けユニット（３）」は、湿布薬サイズに対応した縦寸法１００ミリ、横寸法１４０ミリ、厚さ１６ミリの長方形に木質材を加工し、湿布薬テープを保持する使用者側即ち湿布薬貼り付け希望患部肌面側に向かい、且つ使用者の側面より見ての上下方向に向かって、貼り付けた湿布薬テープと前記「貼り付けユニット（３）」の剥離離脱を促進する目的で筒状に湾曲した半円形に加工したものであり、この反対面に前記「操作アーム（２）」先端を固定したものであり、この湾曲面に「粘着テープ基材（５）」を中心に「強粘着材（４）」にて前記「貼り付けユニット（３）」に強力粘着を行い、更に貼り付け希望患部肌面側を「弱粘着剤（６）」で被い、湿布薬テープが皮膚に対して有する粘着力より低い粘着力で湿布薬テープの保持と貼り付けを可能とし、更に患部肌への貼り付け後の前記「貼り付けユニット（３）」の剥離離脱を容易ならしめる半円形の形状の効果とも相まって、使用者の手の届かない貼り付け希望肌への貼り付けを簡便に行う事を特徴とする湿布薬テープ背貼付具。